(57)【要約】【課題】トイレ装置において、清掃その他のメンテナンス作業の際に洗浄便座装置を便器から容易に離間させ、しかもその離間状態を安定的に保持可能とする。【解決手段】洗浄便座装置３を便器２から離間自在とする昇降機構４において、便器側または洗浄便座装置側のいずれか一方に設けられたカム部材１１と、便器側または洗浄便座装置側のいずれか他方に摺動自在に設けられ、カム部材１１と係合しながら往復運動を行うことで、洗浄便座装置３を昇降動作させるスライド部材１２と、洗浄便座装置を上昇位置で保持する水平面２２ｂと、スライド部材１２に連結され、手動によるスライド部材１２の往復運動を可能とする操作部材１４とを備えた構成とする。【選択図】図２
2009024354.tif 000002
【特許請求の範囲】
【請求項１】
洗浄便座装置を便器から離間自在とする洗浄便座装置の昇降機構であって、
前記便器側または前記洗浄便座装置側のいずれか一方に設けられたカム部材と、
前記便器側または前記洗浄便座装置側のいずれか他方に摺動自在に設けられ、前記カム部材と係合しながら往復運動を行うことで、前記洗浄便座装置を昇降動作させるスライド部材と、
前記洗浄便座装置を上昇位置で保持する保持手段と、
前記スライド部材に連結され、手動による前記スライド部材の往復運動を可能とする操作部材と
を備えたことを特徴とする洗浄便座装置の昇降機構。
【請求項２】
前記スライド部材は、前記操作部材を前記洗浄便座装置または前記便器から引き出すことで前記洗浄便座装置を上昇させるように設けられ、
前記操作部材を前記引き出し方向に付勢する付勢手段と、
前記付勢手段の付勢力に抗して前記操作部材を初期位置に係止するラッチ手段を更に備えたことを特徴とする請求項１に記載の洗浄便座装置の昇降機構。
【請求項３】
前記ラッチ手段は、プッシュロック・プッシュオープン動作のオルタネイト式ラッチ機構により構成されたことを特徴とする請求項２に記載の洗浄便座装置の昇降機構。
【請求項４】
前記カム部材は、傾斜面からなるカム面を有し、前記スライド部材は、前記カム面に摺接した状態で前記往復運動を行うことを特徴とする請求項１乃至請求項３のいずれかに記載の洗浄便座装置の昇降機構。
【請求項５】
前記カム部材は、前記傾斜面の上端に連なる水平部を有し、前記スライド部材が前記傾斜面を乗り越えて前記水平部上に達することで、前記洗浄便座装置が上昇位置に保持されることを特徴とする請求項４に記載の洗浄便座装置の昇降機構。
【請求項６】
前記操作部材は、初期位置において、その端面が前記洗浄便座装置本体または前記便器の側面と同一面上に位置することを特徴とする請求項１乃至請求項５のいずれかに記載の洗浄便座装置の昇降機構。
【発明の詳細な説明】
【技術分野】
【０００１】
本発明は、洗浄便座装置を便器から離間させて清掃を容易とする洗浄便座装置の昇降機構に関する。
【背景技術】
【０００２】
従来、洗浄便座装置を便器に据え付ける場合、ボルト等の締結具を用いて洗浄便座装置の本体ケースを便器の後部上面に固定する方式が広く用いられている。しかし、このような固定方式では、洗浄便座装置の本体ケース底面と便器上面との間の僅かな間隙に溜まる小便の飛沫等の汚れを容易に清掃できないという不都合があった。
【０００３】
そこで、そのような清掃その他のメンテナンスの作業効率を向上させるために、洗浄便座装置を便器に対して昇降可能にする技術が存在する。例えば、洗浄便座装置の本体ケースを上方に付勢するスプリングを設け、通常使用時はスプリングを縮退させた状態で所定のロック機構により洗浄便座装置を着座位置に固定する一方、清掃その他のメンテナンスを行う際には、そのロック機構を解除してスプリングの付勢により洗浄便座装置を上昇させるようにした温水洗浄便器が知られている（特許文献１参照）。
【０００４】
【特許文献１】特開平７−２３８５８２号公報
【発明の開示】
【発明が解決しようとする課題】
【０００５】
しかしながら、上記特許文献１に記載の従来技術では、洗浄便座装置の本体ケースを上昇させて便器上面から離間させることが可能となるが、その離間させた位置（上昇位置）に洗浄便座装置を安定的に保持し難いという課題があった。即ち、上昇位置にある洗浄便座装置に対して不意に外力（スプリングを縮退させる方向の力）が加わると、洗浄便座装置が下降し、洗浄便座装置と便器との間隙を適切に維持できなくなる場合があった。
【０００６】
本発明は、このような従来技術の課題を鑑みて案出されたものであり、簡易な構成により、清掃その他のメンテナンス作業の際に洗浄便座装置を便器から容易に離間させることができ、さらに、その離間状態を安定的に保持可能とした洗浄便座装置の昇降機構を提供することを主目的とする。
【課題を解決するための手段】
【０００７】
上記課題を解決するためになされた第１の発明は、洗浄便座装置を便器から離間自在とする洗浄便座装置の昇降機構であって、前記便器側または前記洗浄便座装置側のいずれか一方に設けられたカム部材と、前記便器側または前記洗浄便座装置側のいずれか他方に摺動自在に設けられ、前記カム部材と係合しながら往復運動を行うことで、前記洗浄便座装置を昇降動作させるスライド部材と、前記洗浄便座装置を上昇位置で保持する保持手段と、前記スライド部材に連結され、手動による前記スライド部材の往復運動を可能とする操作部材とを備えた構成とする。
【０００８】
上記課題を解決するためになされた第２の発明は、前記スライド部材は、前記操作部材を前記洗浄便座装置または前記便器から引き出すことで前記洗浄便座装置を上昇させるように設けられ、前記操作部材を前記引き出し方向に付勢する付勢手段と、前記付勢手段の付勢力に抗して前記操作部材を初期位置に係止するラッチ手段を更に備えた構成とすることができる。
【０００９】
上記課題を解決するためになされた第３の発明は、前記ラッチ手段は、プッシュロック・プッシュオープン動作のオルタネイト式ラッチ機構により構成された構成とすることができる。
【００１０】
上記課題を解決するためになされた第４の発明は、前記カム部材は、傾斜面からなるカム面を有し、前記スライド部材は、前記カム面に摺接した状態で前記往復運動を行う構成とすることができる。
【００１１】
上記課題を解決するためになされた第５の発明は、前記カム部材は、前記傾斜面の上端に連なる水平部を有し、前記スライド部材が前記傾斜面を乗り越えて前記水平部上に達することで、前記洗浄便座装置が上昇位置に保持される構成とすることができる。
【００１２】
上記課題を解決するためになされた第６の発明は、前記操作部材は、初期位置において、その端面が前記洗浄便座装置本体または前記便器の側面と同一面上に位置する構成とすることができる。
【発明の効果】
【００１３】
上記第１の発明によれば、簡易な構成により、清掃その他のメンテナンス作業の際に洗浄便座装置を便器から容易に離間させることができ、さらに、その離間状態を安定的に保持可能となる。上記第２の発明によれば、洗浄便座装置の昇降を行わない場合には、ラッチ手段により操作部材を邪魔にならない位置（初期位置）に係止しておき、洗浄便座装置の昇降を行う際には、そのラッチ手段の係止を解除することで、付勢手段の付勢力により操作部材を操作し易い位置に移動させることができる。従って、昇降機構の操作性が向上し、洗浄便座装置を便器から容易に離間させることが可能となる。上記第３の発明によれば、簡易な構成によりラッチ手段を実現することができる。上記第４の発明によれば、簡易な構成により洗浄便座装置の昇降を実現することができる。上記第５の発明によれば、簡易な構成により、洗浄便座装置と便器との離間状態を安定的に保持可能となる。上記第６の発明によれば、意匠的に優れ、洗浄便座装置本体の清掃も容易となる。
【発明を実施するための最良の形態】
【００１４】
以下、本発明の実施の形態について図面を参照しながら説明する。
【００１５】
図１は、本発明に係る洗浄便座装置の昇降機構を備えたトイレ装置を模式的に示す斜視図である。
【００１６】
このトイレ装置１は、便器２の後部上面に設置された洗浄便座装置３により、洗浄ノズル（図示せず）から水を噴射することで使用者の局部を洗浄可能とするものであり、洗浄便座装置３を便器２から離間させて清掃その他のメンテナンスの作業を容易とするための昇降機構４を備える。
【００１７】
昇降機構４は、洗浄便座装置３の底部と便器２の上面とを連結するように配置され、その主要部は洗浄便座装置３の本体ケース５内に収められている。
【００１８】
洗浄便座装置３の本体ケース５の上部には、枢軸（図示せず）に便座６及び便蓋７が開閉可能に取り付けられている。また、本体ケース５の前面５ａには、進退自在に設けられた洗浄ノズルが出入する開閉扉８と、昇降機構４の操作ハンドル（操作部材）１４（図２，図３参照）が出入りする開口部９とが設けられている。開閉扉８と、開口部９に適合する形状に設けられた操作ハンドルの端面１４ａとは、本体ケース５の前面５ａと同一の曲面を構成しており、これにより、意匠的に優れ、また、本体ケース５の前面５ａの清掃も容易となる。
【００１９】
次に、上記洗浄便座装置３の昇降機構４の詳細について説明する。
【００２０】
図２は、洗浄便座装置の昇降機構の分解斜視図であり、図３は、洗浄便座装置の昇降動作を模式的に示す断面図である。
【００２１】
昇降機構４は、便器２側に設けられたカム部材１１と、洗浄便座装置３側に設けられたスライド部材１２及びスライド受け部材１３とを主として備える。スライド部材１２の前端部には、操作者の手動操作によりスライド部材１２を往復運動させるための操作ハンドル１４が連結されている。
【００２２】
カム部材１１は、板状部２１及びこの板状部２１から上方に突出するように設けた突起部２２を有する。突起部２２は、洗浄便座装置３を昇降動作させるためのカム面として機能する傾斜面２２ａと、この傾斜面２２ａの上端に連なる水平面２２ｂ（保持手段）とを有している。カム部材１１は、ボルト（図示せず）を板状部２１に設けた挿通孔２３，２４に挿通させて、便器２の上面に設けたボルト孔（図示せず）に螺合させることで便器２に固定される。なお、上記突起部２２と同様の突起を便器２上面に設けることで、カム部材を便器２と一体形成してもよい。
【００２３】
スライド部材１２は、洗浄便座装置３の本体ケース５に固定されるスライド受け部材１３に対して摺動自在に設けられ、カム部材１１の突起部２２と係合した状態で往復運動を行う従動部３１と、ばね（付勢手段）３２を収容するばね収容部３３と、このばね収容部３３の前側に連なるハンドル取付部３４とを有する。
【００２４】
昇降機構４の組み立ての際には、スライド部材１２の従動部３１がスライド受け部材１３の受入部４１に受け入れられ、従動部３１の上部に設けたガイド突起４２がスライド受け部材１３の上壁１３ａに設けたガイド孔４３に挿入される。このガイド突起４２及びガイド孔４３により、スライド部材１２のスライド受け部材１３に対する往復運動がガイドされる。また、スライド受け部材１３の前壁１３ｂに設けた２つの溝４４，４５は、ばね収容部３３を構成する側壁４６，４７とそれぞれ係合する。
【００２５】
スライド部材１２の従動部３１は、図３に示すように、カム部材１１の上面に摺接する底板５１と、この底板５１の一端に連なる傾斜板５２と、この傾斜板５２の上端に連なる上板５３とを有している。
【００２６】
スライド受け部材１３の後部には、ラッチ本体６１が取り付けられており、このラッチ本体６１は、スライド部材の先端に設けられたラッチ爪６２とともに、プッシュロック・プッシュオープン動作する公知のクランプ爪方式のオルタネイト式ラッチ機構を構成する。
【００２７】
このラッチ機構により、洗浄便座装置３の昇降を行わない場合には、スライド部材１２を、ばね３２の付勢力に抗して初期位置に係止しておく一方、洗浄便座装置３の昇降を行う際には、その係止を解除することで、ばね３２の付勢力によりスライド部材１２とともに操作ハンドル１４を操作し易い位置に移動させることが可能となる。この場合、操作者が操作ハンドル１４の端面１４ａを後方（図３（Ａ）の矢印方向）に押すたびに、スライド部材１２の係止と係止解除が繰り返されることとなる。
【００２８】
なお、上記のようなスライド受け部材は、洗浄便座装置３の本体ケース５と一体形成してもよい。
【００２９】
操作ハンドル１４のスライド部材１２に対する取り付けは、ハンドル取付部３４の側壁４６の上部及び側部に設けた突片７１，７２を、操作ハンドル１４の上壁１４ｂ及び側壁１４ｃに設けたスロット７３，７４にそれぞれ挿入することにより実施される。このとき、スライド部材１２の側壁４７の上部に設けた凸部７５が、操作ハンドル１４の上壁１４ｂに設けた孔７６に嵌入される。
【００３０】
ばね３２のばね収容部３３への収容は、図３にも示すように、スライド受け部材１３の前壁１３ｂから前方に突出するように設けたばね固定片８１と、操作ハンドル１４内側に後方に突出するように設けたばね固定片８２とが、その両側から挿入された状態で実施される。なお、ばね３２の代替として同様の機能を果たすゴムその他弾性体を用いてもよい。
【００３１】
次に、図３を参照して、上記昇降機構４による洗浄便座装置３の昇降動作について説明する。ここで、図３（Ａ）は洗浄便座装置３が初期位置にある状態（即ち、トイレ装置１の通常使用時）を示し、図３（Ｂ）は使用者がラッチによる係止を解除して操作ハンドル１４を前方に移動させた状態を示し、図３（Ｃ）は使用者が操作ハンドル１４を引き寄せて洗浄便座装置３を上昇位置まで上昇させた状態（即ち、トイレ装置１の清掃その他のメンテナンス作業時）を示す。
【００３２】
図３（Ａ）では、スライド部材１２の従動部３１における底板５１が、カム部材１１の板状部２１上面に摺接した状態にある。同様に、ばね収容部３３及びハンドル取付部３４の底部も板状部２１表面に摺接した状態にある。ばね３２は、スライド受け部材１３と操作ハンドル１４との間で縮退した状態にあり、スライド部材１２は、ラッチ機構６１，６２により、ばね３２の付勢力に抗して初期位置に係止される。
【００３３】
この状態において、操作者が操作ハンドル１４の端面１４ａを後方（矢印方向）に押すことでラッチの係止が解除され、ばね３２の付勢力によりスライド部材１２（操作ハンドル１４）が前方に移動し、図３（Ｂ）に示す状態となる。このとき、操作ハンドル１４は、図１に示した開口部９から前方に飛び出すように移動し、操作者が容易に把持できる状態となる。
【００３４】
図３（Ｂ）では、スライド部材１２の従動部３１における傾斜板５２が、突起部２２の傾斜面２２ａに当接した状態となることで、ばね３２の付勢力によるスライド部材１２の前方への移動が規制される。
【００３５】
この状態において、操作者が操作ハンドル１４を前方（矢印方向）に引き寄せることで、スライド部材１２の従動部３１における底板５１が、カム部材１１の突起部２２における傾斜面２２ａを乗り越え、図３（Ｃ）に示す状態となる。
【００３６】
図３（Ｃ）では、スライド部材１２の従動部３１における底板５１が、カム部材１１の突起部２２における水平面２２ｂ上に位置し、図４に示すように、洗浄便座装置３が上昇して便器２から離間した状態となる。この場合、底板５１が水平面２２ｂ上に安定的に重なるので、下方向（即ち、洗浄便座装置３を便器２との間隙９３を縮小させる方向）の外力が加わっても、洗浄便座装置３を便器２との離間状態を安定的に保持できる。
【００３７】
図３（Ｃ）に示す状態において、操作者は、洗浄便座装置３を便器２との間隙９３周辺の清掃その他のメンテナンスの作業を行うことができ、作業終了後は、操作ハンドル１４を再び後方へ押すことで、図３（Ｂ）の状態を経て再び図３（Ａ）の状態に戻る。
【００３８】
なお、図３（Ｃ）の状態において、スライド部材１２の更なる前方への移動および洗浄便座装置３の更なる上方への移動は、図示しない規制手段によって規制される。また、上記の場合に比べて安定性にはやや劣るが、図３（Ｂ）と図３（Ｃ）との中間状態（即ち、従動部３１の底板５１が、突起部２２の水平面２２ｂまで到達しない状態）で、操作者が操作ハンドル１４を把持したまま清掃その他のメンテナンスの作業を行うことも可能である。
【００３９】
図５は、図１に示したトイレ装置の変更例を示す斜視図である。この変更例では、洗浄便座装置３の本体ケース５の側面に昇降機構４の操作ハンドル１４が出入りする開口部９を設け、操作ハンドル１４をトイレ装置１の左右方向に往復運動させるように昇降機構４の配置が変更されている。図５では、図１の場合と同様の構成要素について図１と同一の符号を付して詳細な説明を省略する。なお、図５では、昇降機構４をトイレ装置１の一方側にのみ配置した例を示したが、同様に、昇降機構４をトイレ装置１の他方側に配置することも可能である。
【００４０】
本発明を特定の実施形態に基づいて詳細に説明したが、これらの実施形態はあくまでも例示であって本発明はこれらの実施形態によって限定されるものではない。例えば、洗浄便座装置３に昇降機構４と同様の機構を複数設けた構成も可能である。また、昇降機構４（及びその構成要素）の形状および大きさは、その設置スペース及び昇降動作の安定性等の観点から種々の変更が可能である。また、カム部材１１とスライド部材１２の配置を逆にして、カム部材１１を洗浄便座装置３側に設け、スライド部材１２を便器２側に設けた構成も可能である。さらに、洗浄便座装置３を昇降動作させるためのカム面は、必ずしも突起部に設ける必用はなく、例えば、板状部２１（または便器２）に凹部を設け、この凹部内に設けた傾斜面をカム面とする構成も可能である。その場合、スライド部材１２の従動部もそのカム面と係合可能なように変更される。
【図面の簡単な説明】
【００４１】
【図１】本発明に係る洗浄便座装置の昇降機構を備えたトイレ装置の斜視図
【図２】浄便座装置の昇降機構の分解斜視図
【図３】洗浄便座装置の昇降動作を示す断面図
【図４】洗浄便座装置を便器から離間させた状態のトイレ装置の斜視図
【図５】図１のトイレ装置の変更例を示す斜視図
【符号の説明】
【００４２】
１  トイレ装置
２  便器
３  洗浄便座装置
４  昇降機構
５  本体ケース
８  洗浄ノズル用開閉扉
９  開口部
１１  カム部材
１２  スライド部材
１３  スライド受け部材
１４  操作ハンドル（操作部材）
１４ａ  操作ハンドル端面
２１  板状部
２２  突起部
２２ａ  傾斜面（カム面）
２２ｂ  水平面
３１  従動部
３２  ばね（付勢手段）
５１  底板
５２  傾斜板
５３  上板
６１  ラッチ本体
６２  ラッチ爪
８１，８２  ばね固定部
９３  間隙
【図１】
2009024354.tif 000003
【図２】
2009024354.tif 000004
【図３】
2009024354.tif 000005
【図４】
2009024354.tif 000006
【図５】
2009024354.tif 000007